(57)【特許請求の範囲】
【請求項１】
地表方向に向けて開口する配水管路のＴ字管に、フランジ管を介して付属設備を接合した配水施設であって、前記したＴ字管上部からフランジ管の周囲を上部を開口したパック手段で囲み、かつ、その上方に構成した押圧手段で付属設備をパック手段に対して押圧して位置決めし、前記したパック手段の側面に設けられたハッチから、Ｔ字管とフランジ管、及びフランジ管と付属設備を連結するボルトを外し、そのフランジ管の修理、交換を行うことを特徴とするフランジ管の保全工法。
【請求項２】
前記したフランジ管を取り外し、あるいは新規なフランジ管を導入する際は、押圧している付属設備を一旦退かし、パック手段の上方開口より行うことを特徴とする請求項１に記載のフランジ管の保全工法。
【請求項３】
前記した押圧手段は組んだ櫓を利用し、付属設備を維持状態としてなされることを特徴とする請求項１から２のうち１項に記載のフランジ管の保全工法。
【請求項４】
前記した付属設備は空気弁あるいは消火栓であることを特徴とする請求項１から３のうち１項に記載のフランジ管の保全工法。
【発明の詳細な説明】
【技術分野】
【０００１】
本発明はフランジ管の保全工法に関し、上水道のうち、配水設備、そのうち配水本管の管路の地表に位置する空気弁や消火栓等の付属設備を接合するため、Ｔ字管との間に介在されるフランジ管の修理、交換等を行うためのフランジ管の保全工法に関し、特に６００ｍｍ〜２４００ｍｍの大口径のフランジ管の保全工法に関する。
【背景技術】
【０００２】
一般的に、上水道のうち、配水施設は、送水施設によって送られた浄水を、給水区域内に所要の水圧と水量を確保して配分するためのものであり、そこには工事のため一定区間を断水するための制水弁（仕切弁）のほか、空気弁、消火栓が付属設備として設けられている。
【０００３】
空気弁は、管路の凸部に設置され、管内の空気排除と、管内へ空気を吸引するために使用されるバルブであり、消火栓は消防に用いるほか、管内の排水作業に使用され、道路の交差点分岐点付近に設けられ、その途中でも１００〜２００ｍの間隔で設置される。
【０００４】
そして、上記した配水本管やフランジ管は、給水設備とは異なって大量の水を通水するため大口径のものが使用され、凸部に位置するＴ字管と付属設備をつなぐフランジ管は、そのフランジ部分をＴ字管や付属設備とボルトで締結されている。
【０００５】
また、フランジ管には、その外周面に補強のための翼部が放射状に複数一体成形されているが、この補強のための翼部は疲労し易く、時として、この翼部部分の劣化によって漏水を生じてしまうことがある。
【０００６】
そのため、このフランジ管の修理や交換のため保全工事が必要となるが、従来は、この保全工事に関し、大掛かりな工事設備と、時間、そして、多数の人員を要するものとなり、開始から復旧までの労力は甚大なものとなっており、フランジ管を外した際に、Ｔ字管の開口から、泥や塵埃が配水本管へ侵入してしまう虞が多々あったものである。
【先行技術文献】
【特許文献】
【０００７】
出願人は、本願発明について、先行する技術文献を調査したが、格別に本願発明と関連し、類似すると思われる文献は発見できなかった。
【発明の概要】
【発明が解決しようとする課題】
【０００８】
本願発明が解決しようとする問題点は、配水本管のＴ字管と付属設備を接合するフランジ管の修理、交換について、従来は、これを容易に短時間で、しかも精度よく実行することができる工法がなかったという点である。
【課題を解決するための手段】
【０００９】
上記した問題点を解決するため、本願に係るフランジ管の保全工法は、地表方向に向けて開口する配水管路のＴ字管に、フランジ管を介して付属設備を接合した配水施設であって、前記したＴ字管上部からフランジ管の周囲を上部を開口したパック手段で囲み、かつ、その上方に構成した押圧手段で付属設備をパック手段に対して押圧して位置決めし、前記したパック手段の側面に設けられたハッチから、Ｔ字管とフランジ管、及びフランジ管と付属設備を連結するボルトを外し、そのフランジ管の修理、交換を行うことを特徴としている。
【００１０】
また、本願に係るフランジ管の保全工法は、前記したフランジ管を取り外し、あるいは新規なフランジ管を導入する際は、押圧している付属設備を一旦退かし、パック手段の上方開口より行うことを特徴とし、前記した押圧手段は組んだ櫓を利用し、付属設備を維持状態としてなされることを特徴とし、前記した付属設備は空気弁あるいは消火栓であることを特徴としている。
【発明の効果】
【００１１】
本願に係るフランジ管の保全工法は上記のように構成されている。そのため、Ｔ字管と接合されているフランジ管の周域は、工事の開始から終了までパック手段で囲まれており、作業中にＴ字管内に泥や塵埃が混入してしまう虞は一切なく、連結ボルトの取り外しや新たな締結もパック手段に形成されたハッチを通して行うことができる。
【００１２】
そして、上方から櫓を組んで付属設備をパック手段の上縁に押圧することで、しっかりとした位置決めがなされ、ボルトの取り外し作業等で、付属設備がグラ付いたり、自重で作業の障害となってしまうこともない。
【００１３】
その作業はクリーンなものとなり、作業者や周辺が汚れることもなく、短時間で、危険性も少なく実行することができるものとなっている。
【図面の簡単な説明】
【００１４】
【図１】本発明に係る工法を示す正面図である。
【発明を実施するための形態】
【００１５】
図として示し、実施例で説明したように構成したことで実現した。
【実施例１】
【００１６】
次に、本発明の好ましい実施の一例を６００〜２４００ｍｍ、特に１２００〜２４００ｍｍ径の管を使用した例を示す図１を参照して説明する。この図にあって１は配水本管を示しており、この配水本管１はやや湾曲して凸部を形成し、その凸部箇所にＴ字管２を形成し、このＴ字管２は上方が開口され、その開口縁には接合のためのフランジ３が一体に形成されている。
【００１７】
また、このＴ字管２の上方には短管としたフランジ管４の下方開口縁のフランジ５を前記したフランジ３と突き合わせ、ボルトにより締結接合されている。一方、このフランジ管４の上方開口のフランジ６には、地表に露呈される空気弁あるいは消火栓である付属設備７がボルト締結されている。
【００１８】
前記したフランジ管４の外周面にはフランジ５と６の間で、複数の補強用の翼体８、８‥が放射状に一体成形されており、この翼体８、８‥が経時変化によって疲労劣化して漏れの原因となるので、この修理あるいはフランジ管４の交換が必要となる。
【００１９】
このフランジ管４の修理、交換に際して、まず、地表からフランジ管４の周域、それもＴ字管２の上部までに至る穴Ｈを掘削する。次いで、フランジ管４の周囲をＴ字管２の上部までパック手段Ｐによって囲い込む。このパック手段はステンレス製のものが使用され、少なくとも上部は開口され、その上部開口縁は付属設備７の底面と対応する。このパック手段は穴Ｈ内に取り込んで設置するので、展開や折り畳みが可能なものとされる。
【００２０】
また、前記パック手段Ｐの側面にはハッチ９が形成され、穴Ｈとパック手段Ｐの内部を連通し、パック手段Ｐ内における作業を可能なものとしている。
【００２１】
一方、図中１０は、穴Ｈの開口周域に組まれた櫓を示しており、この櫓に付設された維持手段１１によって付属設備７を固定維持する。この維持手段１１は負荷をかけることができ、付属設備７をパック手段Ｐの上面開口縁に押し付けることができ、位置決め固定することができる。
【００２２】
上記した、付属設備７の位置決め状態で、ハッチ９を開け、フランジ管４がＴ字管２及び付属設備７と締結されているボルトを外す作業を行ない。この作業が終了すると、維持手段１１を動かして、付属設備７をパック手段Ｐの上面開口から退かし、フランジ管４を上方へ抜き取る。
【００２３】
次いで、新しいフランジ管４を所定位置にセットし、パック手段Ｐのハッチ９からまず、Ｔ字管２とボルトによる締結を行ない、付属設備７を元の位置に戻し、フランジ管４とボルトによる締結を行なう。
【００２４】
上記でフランジ管４を復旧させることになるが、ここから、パック手段Ｐを取り去り、櫓１０を外し、穴Ｈを埋設して、工事は終了する。かかる手順のため、作業は短時間で正確となり、危険性が大きく減少し、作業時間及び工事費用が大幅に節減されることとなる。
【産業上の利用可能性】
【００２５】
本願に係るフランジ管の保全工法は上記のように構成されている。実施例では配水本管と地表に露呈される付属設備との関連で述べているが、これに限らず、都市ガスや、電気、電話回線等、地中に埋設された管に対して保全を行なう工法について広く応用実施することが可能である。
【符号の説明】
【００２６】
１    配水本管
２    Ｔ字管
３    フランジ
４    フランジ管
５    フランジ
６    フランジ
７    付属設備
８    翼体
９    ハッチ
１０  櫓
１１  維持手段
Ｈ    穴
Ｐ    パック手段
【図１】
0005536515.tif 000002